(57)【要約】【課題】通信フォーマットを自動で識別し、識別した通信フォーマットに基づいてフラッシュ制御を行うスレーブフラッシュ装置を提供する。【解決手段】コマンダーフラッシュ装置からのフラッシュによるパルス発光信号を検出する検出手段と、検出したパルス発光信号の発光間隔に基づいてパルス発光通信の通信フォーマットを識別し、該識別した通信フォーマットに基づいて前記パルス発光信号から発光指示データの内容を解析する解析手段と、解析した発光指示データに基づいて、当該スレーブフラッシュ装置自身のフラッシュを発光させる発光制御手段と、を備えるスレーブフラッシュ装置により、上記課題の解決を図る。【選択図】      図５
2009058545.tif 000002
【特許請求の範囲】
【請求項１】
コマンダーフラッシュ装置を連続して発光させるフラッシュのパルス発光通信によって、該コマンダーフラッシュ装置からスレーブフラッシュ装置に対して、該コマンダーフラッシュ装置の発光間隔時間に対応したデータを発光指示データとして送信して、該スレーブフラッシュ装置のフラッシュの発光制御を行うワイヤレスフラッシュシステムに用いられるスレーブフラッシュ装置において、
前記コマンダーフラッシュ装置からの前記フラッシュによるパルス発光信号を検出する検出手段と、
前記検出したパルス発光信号の発光間隔に基づいて前記パルス発光通信の通信フォーマットを識別し、該識別した通信フォーマットに基づいて前記パルス発光信号から前記発光指示データの内容を解析する解析手段と、
前記解析した前記発光指示データに基づいて、当該スレーブフラッシュ装置自身のフラッシュを発光させる発光制御手段と、
を備えることを特徴とするスレーブフラッシュ装置。
【請求項２】
前記解析手段は、前記コマンダーフラッシュ装置による１番目の信号発光と２番目の信号発光との間隔に基づいて、第１の通信フォーマットか第２の通信フォーマットかを識別する
ことを特徴とする請求項１に記載のスレーブフラッシュ装置。
【請求項３】
前記パルス発光信号の発光間隔により表される発光指示データは、当該スレーブフラッシュ装置自身の発光に関する制御を行うための発光制御データと前記スレーブフラッシュ装置の発光量を決定するための発光量決定データとを含む
ことを特徴とする請求項２に記載のスレーブフラッシュ装置。
【請求項４】
前記１番目の信号発光と２番目の信号発光との間隔により表されるデータには、さらに、前記発光指示データの発光信号のチャンネルを識別するデータも含まれている
ことを特徴とする請求項２に記載のスレーブフラッシュ装置。
【請求項５】
同一の前記発光制御データ及び同一の前記発光量決定データが適用される１群の前記スレーブフラッシュを１つのグループとすると、前記第１の通信フォーマットと前記第２の通信フォーマットでは制御対象となるグループ数が異なる
ことを特徴とする請求項３に記載のスレーブフラッシュ装置。
【請求項６】
前記第１の通信フォーマットと前記第２の通信フォーマットでは、前記発光指示データ１ビット当たりの通信時間が異なる
ことを特徴とする請求項２に記載のスレーブフラッシュ装置。
【請求項７】
前記第１の通信フォーマットと第２の通信フォーマットでは、前記発光間隔時間の最小値が異なる
ことを特徴とする請求項２に記載のスレーブフラッシュ装置。
【請求項８】
前記第１の通信フォーマットと第２の通信フォーマットでは、前記発光指示データの総ビット数が異なる
ことを特徴とする請求項２に記載のスレーブフラッシュ装置。
【請求項９】
コマンダーフラッシュ装置を連続して発光させるフラッシュのパルス発光通信によって、該コマンダーフラッシュ装置からスレーブフラッシュ装置に対して、該コマンダーフラッシュ装置の発光間隔時間に対応したデータを発光指示データとして送信して、該スレーブフラッシュ装置のフラッシュの発光制御を行うワイヤレスフラッシュシステムに用いられるコマンダーフラッシュ装置において、
前記送信データを前記スレーブフラッシュ装置に送信する場合、前記発光間隔時間が短くビット数が多い第１の通信フォーマットと、前記発光間隔時間が長くビット数が少ない第２の通信フォーマットと、を切り替える通信フォーマット切替手段と、
前記切り替えた通信フォーマットに基づいて、前記スレーブフラッシュ装置の発光に関する制御を行うための発光制御データと、前記スレーブフラッシュ装置の発光量を決定するための発光量決定データと、を含む前記発光指示データをフラッシュのパルス発光通信によって送信する送信手段と、
を備えることを特徴とするコマンダーフラッシュ装置。
【請求項１０】
請求項１〜９のうちいずれかに記載のコマンダーフラッシュ装置を備えることを特徴とする撮像装置。
【請求項１１】
コマンダーフラッシュ装置を連続して発光させるフラッシュのパルス発光通信によって、該コマンダーフラッシュ装置からスレーブフラッシュ装置に対して、該コマンダーフラッシュ装置の発光間隔時間に対応したデータを発光指示データとして送信して、該スレーブフラッシュ装置のフラッシュの発光制御を行うワイヤレスフラッシュシステムに用いられるコマンダーフラッシュ装置において、
前記発光間隔時間が短くビット数が多い第１の通信フォーマットと、前記発光間隔時間が長くビット数が少ない第２の通信フォーマットと、のそれぞれの通信フォーマットによるフラッシュのパルス発光通信に基づいて、テスト発光を行うテスト発光手段と、
前記第１及び第２の通信フォーマットのそれぞれ通信フォーマットに基づく前記テスト発光手段による発光に対応する前記スレーブフラッシュ装置からの第１及び第２のフラッシュ光のうち少なくともいずれかを検出するフラッシュ光検出手段と、
前記発光指示データを送信するための通信フォーマットとして、前記第１及び第２のフラッシュ光のうち一方を検出した場合には該検出されたフラッシュ光に対応する通信フォーマットを用いることを決定し、または前記第１及び第２のフラッシュ光のうち双方を検出した場合には前記第２の通信フォーマットを用いることを決定する通信フォーマット決定手段と、
前記決定した通信フォーマットに基づいて、フラッシュのパルス発光通信により前記発光指示データを送信する送信手段と、
を備えることを特徴とするコマンダーフラッシュ装置。
【請求項１２】
前記パルス発光信号の発光間隔により表される発光指示データは、前記スレーブフラッシュ装置の発光に関する制御を行うための発光制御データと前記スレーブフラッシュ装置の発光量を決定するための発光量決定データとを含む
ことを特徴とする請求項１１に記載のコマンダーフラッシュ装置。
【請求項１３】
請求項１１または１２に記載のコマンダーフラッシュ装置を備えることを特徴とする撮像装置。
【発明の詳細な説明】
【技術分野】
【０００１】
本発明は、撮像装置などの補助照明装置として用いられ、ワイヤレス通信制御によりスレーブフラッシュの作動制御が可能なワイヤレスフラッシュシステムに関する。
【背景技術】
【０００２】
撮像装置の補助照明としてのフラッシュを、コマンダーフラッシュ（マスターフラッシュ）から光通信制御などによりワイヤレスで発光制御するフラッシュシステムが知られている。
【０００３】
そのようなフラッシュシステムのうちでも、スレーブフラッシュ側で発光量などのデータをコマンダーフラッシュの発光の間隔時間として検出し、その検出結果に基づいてスレーブフラッシュを制御する方法が開示されている（例えば、特許文献１。）。このようにフラッシュの発光間隔時間でデータを送る方法は、所定クロックのタイミングでのフラッシュ発光の有無によりバイナリーデータを送信する方法に比べて、少ないコマンダーフラッシュの発光回数でより多くのビット数のデータを送ることができ、エネルギーロスが少ない点が優れている。
【特許文献１】特許第３０６１４３７号公報
【発明の開示】
【発明が解決しようとする課題】
【０００４】
しかし、短時間でより多くのデータを送信しようとすると、時間をカウントするカウンターの精度が求められる。また、信号発光の間隔も短くなるため、送信側、受信側ともに高速の処理回路や高速発光可能なフラッシュ回路が必要で、カメラのコストアップや大型化を招く。プロ等が用いる高性能カメラでは、多少高価で大型化してもこの方法が好ましいが、小型・安価なコンパクト機には不適当である。
【０００５】
一方、多少時間を犠牲にしても信号発光の間隔が長い通信フォーマットを用いれば、小型・安価なコンパクト機であってもコストアップなしで適応させることが可能である。しかしながら、この通信フォーマットは通信の時間がかかり、レリーズタイムラグが大きくなるためプロ用の高性能カメラには不適当である。
【０００６】
これらを解決するためにはそれぞれに適した通信フォーマットをもつシステムを別個に用意すればよい。しかし、それぞれの通信フォーマット専用のフラッシュを設定した場合、両方の通信フォーマットのカメラを所有しているユーザはそのために別のフラッシュを購入する必要があり、不経済である。
【０００７】
また、フラッシュに切り替えスイッチを設けて通信フォーマットを切り替える方法も考えられる。しかし、ユーザが設定することは不便であり、設定を間違えたり忘れた場合はフラッシュが発光せず、失敗写真を生じる可能性があった。
【０００８】
上記課題に鑑み、本発明では、通信フォーマットを自動で識別し、識別した通信フォーマットに基づいてフラッシュ制御を行うコマンダーフラッシュ装置及びスレーブフラッシュ装置を提供する。
【課題を解決するための手段】
【０００９】
本発明にかかる、コマンダーフラッシュ装置を連続して発光させるフラッシュのパルス発光通信によって、該コマンダーフラッシュ装置からスレーブフラッシュ装置に対して、該コマンダーフラッシュ装置の発光間隔時間に対応したデータを発光指示データとして送信して、該スレーブフラッシュ装置のフラッシュの発光制御を行うワイヤレスフラッシュシステムに用いられるスレーブフラッシュ装置は、前記コマンダーフラッシュ装置からの前記フラッシュによるパルス発光信号を検出する検出手段と、前記検出したパルス発光信号の発光間隔に基づいて前記パルス発光通信の通信フォーマットを識別し、該識別した通信フォーマットに基づいて前記パルス発光信号から前記発光指示データの内容を解析する解析手段と、前記解析した前記発光指示データに基づいて、当該スレーブフラッシュ装置自身のフラッシュを発光させる発光制御手段と、を備えることを特徴とする。
【００１０】
前記スレーブフラッシュ装置において、前記解析手段は、前記コマンダーフラッシュ装置による１番目の信号発光と２番目の信号発光との間隔に基づいて、第１の通信フォーマットか第２の通信フォーマットかを識別することを特徴とする。
【００１１】
前記スレーブフラッシュ装置において、前記パルス発光信号の発光間隔により表される発光指示データは、当該スレーブフラッシュ装置自身の発光に関する制御を行うための発光制御データと前記スレーブフラッシュ装置の発光量を決定するための発光量決定データとを含むことを特徴とする。
【００１２】
前記スレーブフラッシュ装置において、前記１番目の信号発光と２番目の信号発光との間隔により表されるデータには、さらに、前記発光指示データの発光信号のチャンネルを識別するデータも含まれていることを特徴とする。
【００１３】
前記スレーブフラッシュ装置において、同一の前記発光制御データ及び同一の前記発光量決定データが適用される１群の前記スレーブフラッシュを１つのグループとすると、前記第１の通信フォーマットと前記第２の通信フォーマットでは制御対象となるグループ数が異なることを特徴とする。
【００１４】
前記スレーブフラッシュ装置において、前記第１の通信フォーマットと前記第２の通信フォーマットでは、前記発光指示データ１ビット当たりの通信時間が異なることを特徴とする。
【００１５】
前記スレーブフラッシュ装置において、前記第１の通信フォーマットと第２の通信フォーマットでは、前記発光間隔時間の最小値が異なることを特徴とする。
前記スレーブフラッシュ装置において、前記第１の通信フォーマットと第２の通信フォーマットでは、前記発光指示データの総ビット数が異なることを特徴とする。
【００１６】
また本発明にかかる、コマンダーフラッシュ装置を連続して発光させるフラッシュのパルス発光通信によって、該コマンダーフラッシュ装置からスレーブフラッシュ装置に対して、該コマンダーフラッシュ装置の発光間隔時間に対応したデータを発光指示データとして送信して、該スレーブフラッシュ装置のフラッシュの発光制御を行うワイヤレスフラッシュシステムに用いられるコマンダーフラッシュ装置は、前記送信データを前記スレーブフラッシュ装置に送信する場合、前記発光間隔時間が短くビット数が多い第１の通信フォーマットと、前記発光間隔時間が長くビット数が少ない第２の通信フォーマットと、を切り替える通信フォーマット切替手段と、前記切り替えた通信フォーマットに基づいて、前記スレーブフラッシュ装置の発光に関する制御を行うための発光制御データと、前記スレーブフラッシュ装置の発光量を決定するための発光量決定データと、を含む前記発光指示データをフラッシュのパルス発光通信によって送信する送信手段と、を備えることを特徴とする。
【００１７】
また、前記コマンダーフラッシュ装置を撮像装置に備えてもよい。
また、本発明にかかる、コマンダーフラッシュ装置を連続して発光させるフラッシュのパルス発光通信によって、該コマンダーフラッシュ装置からスレーブフラッシュ装置に対して、該コマンダーフラッシュ装置の発光間隔時間に対応したデータを発光指示データとして送信して、該スレーブフラッシュ装置のフラッシュの発光制御を行うワイヤレスフラッシュシステムに用いられるコマンダーフラッシュ装置は、前記発光間隔時間が短くビット数が多い第１の通信フォーマットと、前記発光間隔時間が長くビット数が少ない第２の通信フォーマットと、のそれぞれの通信フォーマットによるフラッシュのパルス発光通信に基づいて、テスト発光を行うテスト発光手段と、前記第１及び第２の通信フォーマットのそれぞれ通信フォーマットに基づく前記テスト発光手段による発光に対応する前記スレーブフラッシュ装置からの第１及び第２のフラッシュ光のうち少なくともいずれかを検出するフラッシュ光検出手段と、前記発光指示データを送信するための通信フォーマットとして、前記第１及び第２のフラッシュ光のうち一方を検出した場合には該検出されたフラッシュ光に対応する通信フォーマットを用いることを決定し、または前記第１及び第２のフラッシュ光のうち双方を検出した場合には前記第２の通信フォーマットを用いることを決定する通信フォーマット決定手段と、前記決定した通信フォーマットに基づいて、フラッシュのパルス発光通信により前記発光指示データを送信する送信手段と、を備えることを特徴とする。
【００１８】
スレーブフラッシュ装置において、前記パルス発光信号の発光間隔により表される発光指示データは、前記スレーブフラッシュ装置の発光に関する制御を行うための発光制御データと前記スレーブフラッシュ装置の発光量を決定するための発光量決定データとを含むことを特徴とする。
【００１９】
また、前記コマンダーフラッシュ装置を撮像装置に備えてもよい。
【発明の効果】
【００２０】
本発明を用いることにより、通信フォーマットを自動で識別し、識別した通信フォーマットに基づいてフラッシュ制御を行うことができる。
【発明を実施するための最良の形態】
【００２１】
本発明の実施の形態にかかる、スレーブフラッシュ装置は、コマンダーフラッシュ装置を連続して発光させるフラッシュのパルス発光通信によって、該コマンダーフラッシュ装置からスレーブフラッシュ装置に対して、該コマンダーフラッシュ装置の発光間隔時間に対応したデータを発光指示データとして送信して、該スレーブフラッシュ装置のフラッシュの発光制御を行うワイヤレスフラッシュシステムに用いられるものである。
【００２２】
当該スレーブフラッシュ装置は、検出手段、解析手段、発光制御手段を備える。
検出手段は、前記コマンダーフラッシュ装置からの前記フラッシュによるパルス発光信号を検出する。検出手段は、例えば本発明の実施の形態で言えば、スレーブセンサー１３に相当する。
【００２３】
解析手段は、前記検出したパルス発光信号の発光間隔に基づいて前記パルス発光通信の通信フォーマットを識別し、該識別した通信フォーマットに基づいて前記パルス発光信号から前記発光指示データの内容を解析する。解析手段は、例えば本発明の実施の形態で言えば、フラッシュ制御回路１５２に相当する。
【００２４】
発光制御手段は、前記解析した前記発光指示データに基づいて、当該スレーブフラッシュ装置自身のフラッシュを発光させる。発光制御手段は、例えば本発明の実施の形態で言えば、発光回路１５１を制御するフラッシュ制御回路１５２に相当する。
【００２５】
このように構成することにより、別個のフラッシュを準備しなくても、低速ワイヤレス通信のコマンダーフラッシュ（マスターフラッシュ）と、高速ワイヤレス通信のコマンダーフラッシュとに対して１個のスレーブフラッシュで対応できる。
【００２６】
また、前記解析手段は、前記コマンダーフラッシュ装置による１番目の信号発光と２番目の信号発光との間隔に基づいて、第１の通信フォーマットか第２の通信フォーマットかを識別することができる。このように構成することにより、通信フォーマットの種別を容易に判別することができる。
【００２７】
また、前記パルス発光信号の発光間隔により表される発光指示データは、当該スレーブフラッシュ装置自身の発光に関する制御を行うための発光制御データと前記スレーブフラッシュ装置の発光量を決定するための発光量決定データとを含んでいる。
【００２８】
また、前記１番目の信号発光と２番目の信号発光との間隔により表されるデータには、さらに、前記発光指示データの発光信号のチャンネルを識別するデータも含まれている。
また、同一の前記発光制御データ及び同一の前記発光量決定データが適用される１群の前記スレーブフラッシュを１つのグループとすると、前記第１の通信フォーマットと前記第２の通信フォーマットでは制御対象となるグループ数が異なる。このように構成することにより、通信フォーマットに応じて制御対象となるスレーブフラッシュのグループ数を変更することができる。
【００２９】
また、前記第１の通信フォーマットと前記第２の通信フォーマットでは、前記発光指示データ１ビット当たりの通信時間が異なる。このように構成することにより、前記第１の通信フォーマットと前記第２の通信フォーマットでは、情報量が異なる。
【００３０】
また、前記第１の通信フォーマットと第２の通信フォーマットでは、前記発光間隔時間の最小値が異なる。このように構成することにより、第１の通信フォーマットのデータ部分の時間の取りうる範囲と第２の通信フォーマットのデータ部分の取りうる範囲とがラップせず完全に異なる帯域であるため、スレーブフラッシュでの判別が容易となる。
【００３１】
また、前記第１の通信フォーマットと第２の通信フォーマットでは、前記発光指示データの総ビット数が異なる。このように構成することにより、前記第１の通信フォーマットと前記第２の通信フォーマットでは、情報量が異なる。
【００３２】
また、本発明の他の実施形態における、コマンダーフラッシュ装置は、コマンダーフラッシュ装置を連続して発光させるフラッシュのパルス発光通信によって、該コマンダーフラッシュ装置からスレーブフラッシュ装置に対して、該コマンダーフラッシュ装置の発光間隔時間に対応したデータを発光指示データとして送信して、該スレーブフラッシュ装置のフラッシュの発光制御を行うワイヤレスフラッシュシステムに用いられる。
【００３３】
当該コマンダーフラッシュ装置は、通信フォーマット切替手段、送信手段を備える。
通信フォーマット切替手段は、前記送信データを前記スレーブフラッシュ装置に送信する場合、前記発光間隔時間が短くビット数が多い第１の通信フォーマットと、前記発光間隔時間が長くビット数が少ない第２の通信フォーマットと、を切り替える。通信フォーマット切替手段は、例えば本発明の実施形態で言えば、ＳＬＲカメラの背面ＬＣＤに表示されるメニュー内の設定に相当する。
【００３４】
送信手段は、前記切り替えた通信フォーマットに基づいて、前記スレーブフラッシュ装置の発光に関する制御を行うための発光制御データと、前記スレーブフラッシュ装置の発光量を決定するための発光量決定データと、を含む前記発光指示データをフラッシュのパルス発光通信によって送信する。送信手段は、例えば本発明の実施形態で言えば、外部フラッシュ発光部１５５に相当する。
【００３５】
このように構成することにより、カメラも機種の特性に応じて２種類の通信フォーマットを選択でき、コストやサイズのメリット、機能性やタイムラグを最適に設定できる。
また、本発明の他の実施形態における、コマンダーフラッシュ装置は、コマンダーフラッシュ装置を連続して発光させるフラッシュのパルス発光通信によって、該コマンダーフラッシュ装置からスレーブフラッシュ装置に対して、該コマンダーフラッシュ装置の発光間隔時間に対応したデータを発光指示データとして送信して、該スレーブフラッシュ装置のフラッシュの発光制御を行うワイヤレスフラッシュシステムに用いられるものである。
【００３６】
当該コマンダーフラッシュ装置は、テスト発光手段、フラッシュ光検出手段、通信フォーマット決定手段、送信手段を備える。
テスト発光手段は、前記発光間隔時間が短くビット数が多い第１の通信フォーマットと、前記発光間隔時間が長くビット数が少ない第２の通信フォーマットと、のそれぞれの通信フォーマットによるフラッシュのパルス発光通信に基づいて、テスト発光を行う。テスト発光手段は、例えば本発明の実施形態で言えば、図２０のＳ１０２〜Ｓ１０５の処理を行う内蔵フラッシュ（コマンダーフラッシュ）３に相当する。
【００３７】
フラッシュ光検出手段は、前記第１及び第２の通信フォーマットのそれぞれ通信フォーマットに基づく前記テスト発光手段による発光に対応する前記スレーブフラッシュ装置からの第１及び第２のフラッシュ光のうち少なくともいずれかを検出する。フラッシュ光検出手段は、例えば本発明の実施形態で言えば、ＴＴＬ調光回路１０５に相当する。
【００３８】
通信フォーマット決定手段は、前記発光指示データを送信するための通信フォーマットとして、前記第１及び第２のフラッシュ光のうち一方を検出した場合には該検出されたフラッシュ光に対応する通信フォーマットを用いることを決定し、または前記第１及び第２のフラッシュ光のうち双方を検出した場合には前記第２の通信フォーマットを用いることを決定する。通信フォーマット決定手段は、例えば本発明の実施形態で言えば、図２０のＳ１０６〜Ｓ１０９の処理を行うボディ駆動制御回路１０４に相当する。
【００３９】
送信手段は、前記決定した通信フォーマットに基づいて、フラッシュのパルス発光通信により前記発光指示データを送信する。送信手段は、例えば本発明の実施形態で言えば、内蔵フラッシュ（コマンダーフラッシュ）３に相当する。
【００４０】
このように構成することにより、フラッシュの通信方式が混在するものであっても、より照射効果が大きくなる通信フォーマットを自動選択することができる。
また、前記パルス発光信号の発光間隔により表される発光指示データは、前記スレーブフラッシュ装置の発光に関する制御を行うための発光制御データと前記スレーブフラッシュ装置の発光量を決定するための発光量決定データとを含む。
【００４１】
また、前記コマンダーフラッシュ装置を撮像装置に備えてもよい。
以下、図面を参照して本発明の実施形態を説明する。なお、以下に説明する実施形態は数ある実施形態のうちの一部であり、本発明を限定するものではない。
【００４２】
＜第１の実施形態＞
本実施形態では、ワイヤレスフラッシュシステムにおいて、通信形態がどの通信フォーマットであるかを識別し、その通信フォーマットに基づいた発光制御が行われるスレーブフラッシュについて説明する。
【００４３】
図１Ａ及び図１Ｂは、本実施形態における第１の通信フォーマットによるワイヤレス通信可能なデジタルカメラの正面斜視図及び背面斜視図を示す。同図のデジタルカメラは、ワイヤレスフラッシュシステムで用いられる、コマンダーフラッシュとして機能するフラッシュ内蔵のデジタルカメラである。当該デジタルカメラは、多くのビット数のデータを高速で送信する第１の通信フォーマットを使用することができる。
【００４４】
カメラボディ１は、例えば一眼レフレックス（ＳＬＲ）タイプのカメラボディである。以下では、同図のカメラをＳＬＲカメラと称する。
レンズユニット２は、カメラボディ１に着脱自在の構成となっており、カメラボディ１に装着した場合にカメラボディ１と連携して機能する。ポップアップ式の内蔵フラッシュ３は、ワイヤレスフラッシュシステムのコマンダーフラッシュとして機能可能である。
【００４５】
カメラの操作部材４として、レリーズボタン４−１、電子ダイヤル４−２、十字ボタン４−３、ＩＳＯボタン４−４、露出補正ボタン４−５、ＩＮＦＯボタン４−６、メニューボタン４−７、パワーボタン４−８がある。
【００４６】
レリーズボタン４−１は、半押しと全押しの２段スイッチで構成されている。電子ダイヤル４−２は、数値を変更設定する場合に使用する。
十字ボタン４−３は、上下左右の４ボタンと中央のＯＫボタンで構成される。十字ボタン４−３は、背面ＬＣＤ（Ｌｉｑｕｉｄ  Ｃｒｙｓｔａｌ  Ｄｉｓｐｌａｙ）６に表示されるメニューを開いた際の項目の選択や決定に使用する。
【００４７】
ＩＳＯボタン４−４を押しながら電子ダイヤル４−２を回動させることにより、撮像素子のＩＳＯ感度の変更が可能である。露出補正ボタン４−５を押しながら電子ダイヤル４−２を回動させることにより、露出補正値の変更が可能である。
【００４８】
ＩＮＦＯボタン４−６の操作により、カメラボディ１の背面ＬＣＤ６の表示態様を選択できる。メニューボタン４−７を押すと、カメラボディ１の背面ＬＣＤ６に各種設定のためのメニュー画面が表示される。パワーボタン４−８の操作により、カメラボディ１の電源のＯＮ／ＯＦＦを行う。
【００４９】
ファインダーユニット５は、レンズユニット２を通過した光をカメラボディ１内のミラー、ファインダ内のペンタプリズム、及びアイピース５−１により観察像を生成する。
背面ＬＣＤ６は、撮影画像を表示させたり、観察用のライブビューを表示させたり、各種情報を表示する。また、背面ＬＣＤ６により、設定値の表示・変更を確認できる。
【００５０】
図２は、本実施形態におけるスレーブフラッシュを示す。同図では、本実施形態のワイヤレスフラッシュシステムの、スレーブフラッシュ（リモートフラッシュ）が示されている。
【００５１】
同図において、スレーブフラッシュは、主として、スレーブフラッシュ本体１１と、スレーブフラッシュ本体１１と着脱可能なフラッシュスタンド１２からなる。スレーブフラッシュ本体１１には、スレーブセンサー１３、フラッシュ調光用の外光調光センサー１４、発光窓１５、発光ユニット１６、ロック解除ボタン１７、ホットシュー１８、モードスイッチ２０が設けられている。
【００５２】
フラッシュスタンド１２は、スレーブフラッシュ本体１１のホットシュー１８と、フラッシュスタンドのホットシュー受け部１９とが係合可能になっている。
スレーブセンサー１３は、コマンダーフラッシュの信号フラッシュ光を受光して光電変換することにより電気信号を発生させる。
【００５３】
本ワイヤレスフラッシュシステムでは、調光制御をカメラ側のＴＴＬセンサーで行うＴＴＬ調光と、フラッシュ側のセンサーで行うフラッシュ側制御調光とがあるが、外光調光センサー１４は上記フラッシュ側調光の際に利用される。
【００５４】
発光ユニット１６は、スレーブフラッシュ本体１１に対して回動可能であり、ロック解除ボタン１７を押しながら回動させることができる。ホットシュー１８は、カメラのホットシュー部に装着できるほか、フラッシュスタンド１２との係合も可能である。
【００５５】
モードスイッチ２０は、「ＴＴＬ」、「Ｍ」、「ＲＣ」の３モードを切り替えることができる。「ＴＴＬ」と「Ｍ」は、フラッシュ本体をカメラに取り付けた際の制御モードを示している。「ＲＣ」は、当該フラッシュがワイヤレスフラッシュシステムのスレーブフラッシュになることを示している。
【００５６】
図３は、本実施形態におけるワイヤレスフラッシュシステムを使用する際の状況を示す図である。本実施形態のコマンダーフラッシュとなるカメラボディ１の前方に被写体ＯＢＪを配置している。被写体ＯＢＪに対して３つの、別々のグループ設定になっているスレーブフラッシュが配置されている。３つのスレーブフラッシュは、グループＡのＦＬ−Ａ、グループＢのＦＬ−Ｂ、グループＣのＦＬ−Ｃで構成され、それぞれは図２で示したスレーブフラッシュである。
【００５７】
図３では、いずれのスレーブフラッシュもモードスイッチ２０を「ＲＣ」に設定している。また、不図示のグループ設定手段により、ＦＬ−Ａは「グループＡ」に、ＦＬ−Ｂは「グループＢ」に、ＦＬ−Ｃは「グループＣ」にそれぞれ設定されている。
【００５８】
コマンダーフラッシュＦＬ−ＣＭＤは、各グループを独立に制御することができる。また、各グループのスレーブフラッシュはそれぞれ、ＦＬ−ＣＭＤから指示された設定に従って発光する。
【００５９】
図４は、本実施形態におけるＳＬＲカメラの内部構成を示す。レンズユニット２内には、レンズ駆動制御回路１０１が設けられている。レンズ駆動制御回路１０１は、カメラボディ１側からの指示に基づいてレンズのフォーカスや絞り等の駆動制御を行う。
【００６０】
カメラボディ１内には、フラッシュ制御回路１０２、クロック回路１０３、ボディ駆動制御回路１０４、ＴＴＬ調光回路１０５、画像処理回路１０６、記録媒体１０７、撮像回路１０８が設けられている。
【００６１】
フラッシュ制御回路１０２は、ボディ駆動制御回路１０４の制御に基づいて、内蔵フラッシュ（コマンダーフラッシュ）３の発光部１０９の発光制御を行う。
クロック回路１０３は、例えば水晶発振子を用いた回路である。クロック回路１０３は、カメラボディ１内では撮像素子等の高精度の時間制御を求められる部分が多いので、精度が高い水晶発振子を用いた回路を利用している。
【００６２】
ボディ駆動制御回路１０４は、クロック回路１０３によるクロックに基づいて動作するデジタル回路を中心とした構成である。ボディ駆動制御回路１０４は、カメラボディ１内の各ブロックを制御し、またレンズ駆動制御回路１０１に動作を指示する。また、ボディ駆動制御回路１０４は、フラッシュ制御回路１０２にワイヤレスデータ通信のための発光指示を行う。さらに、ボディ駆動制御回路１０４は、操作部材４の操作を検出して、その操作に対応した処理を実行する。
【００６３】
ＴＴＬ調光回路１０５は、プリ発光時に、レンズユニット２を通過してくるフラッシュ光を測光する。その測光結果に基づいて、ボディ駆動制御回路１０４は本発光量を決定する。
【００６４】
撮像回路１０８は、ＣＣＤなどの撮像素子から出力される画像信号に対して、ガンマ変換、相関二重サンプリング（ＣＤＳ）処理、ＡＧＣ処理、Ａ／Ｄ変換等の信号処理を行う回路である。撮像回路１０８により、デジタル画像データ（以後、画像データと呼ぶ）が得られる。
【００６５】
画像処理回路１０６は、撮像回路１０８から出力される画像データにホワイトバランス補正、リサイズ等の画像処理を施す。記録媒体１０７には、画像処理回路１０６から出力されてＪＰＥＧ圧縮方式等で圧縮処理した画像データが記録される。また、画像処理回路１０６は、記録媒体１０７に記録された圧縮画像データを読み出して伸長処理を行い、伸長された画像データを背面ＬＣＤ６に出力して画像を表示させる。
【００６６】
図５は、本実施形態におけるスレーブフラッシュの内部構成を示す。発光回路１５１は発光ユニット１６内に設けられており、フラッシュ制御回路１５２からの指示に基づいて外部フラッシュ発光部１５５を発光させる。フラッシュ制御回路１５２は、各種センサーや操作部材からの情報をもとに、発光回路１５１を制御してフラッシュの発光やその他各種制御を行う。
【００６７】
クロック回路１５３は、フラッシュ制御回路１５２のデジタル部の動作クロックとなるほか、スレーブセンサー１３のパルス間時間の測定クロックにもなる。
データ検出回路１５４は、スレーブセンサー１３から出力されるコマンダーフラッシュからの発光信号に対応したパルス信号の間隔を、クロック回路１５３のクロックを用いてパルスカウントする。そのカウントデータは、フラッシュ制御回路１５２によって読み出される。
【００６８】
図６は、本実施形態における背面ＬＣＤ６の撮影条件表示画面を示す。撮影条件表示画面は、本実施形態のコマンダーフラッシュとして働くＳＬＲカメラの背面ＬＣＤ６に表示される（制御用のパネル表示）。この表示は、カメラボディ背面のＩＮＦＯボタン４−６により切り替え可能に設定されている。
【００６９】
ＤＳＰ１で示す表示状態は通常表示状態であり、通常の撮影で確認することが多い項目について表示を行う。またこの表示上でＯＫボタンと十字キーで設定項目を選択すると、表示上で設定の変更が実施可能である。
【００７０】
ＤＳＰ２で示す表示状態は、背面表示をＯＦＦした状態である。消費電力をセーブする場合や、ファインダを覗く際にパネルからの光が邪魔になる場合に背面ＬＣＤ６のバックライトを消灯させる。
【００７１】
ＤＳＰ３で示す表示状態は、ワイヤレスリモート制御撮影を行う場合の専用の制御用パネル表示である。この表示はフラッシュのワイヤレスリモート制御が不図示の設定メニューにより選択されている場合（このモードをＲＣモードとする）のみ表示可能である。
【００７２】
ＤＳＰ３では、各グループの設定をマトリックス状に表示できる。また、ＤＳＰ１と同様、ＯＫボタンと十字キーを用いて、その表示を見ながら設定の変更ができる。また、この表示のままレリーズボタンを押すと、ワイヤレスリモート制御でのフラッシュ撮影が実行され、撮影画像が所定時間表示され（レックビュー）、その後撮影前の表示状態に復帰する。
【００７３】
ここで、ワイヤレスリモート制御が選択されている場合（すなわちＲＣモードがＯＮに設定されている場合）のみ、ＤＳＰ３への遷移が可能である。ワイヤレスリモート制御が非選択になっている場合（すなわちＲＣモードがＯＦＦに設定されている場合）はＤＳＰ３の表示形態には遷移せず、ＤＳＰ１とＤＳＰ２のみの遷移となる。
【００７４】
なお、本実施形態では、所定の設定方法でワイヤレスリモート制御によるフラッシュ撮影を設定した場合、ＤＳＰ１、ＤＳＰ２、ＤＳＰ３いずれの状態でもワイヤレスリモート制御によるフラッシュ撮影が可能である。
【００７５】
また、本実施形態では、ＲＣモードをＯＮさせると、背面ＬＣＤ６の表示はＤＳＰ３の表示に切り替わり、ＤＳＰ３でグループ毎のフラッシュに関する設定を行い、または設定内容を確認できる。
【００７６】
図７は、本実施形態におけるワイヤレスフラッシュシステムのフラッシュ光による第１の通信フォーマットの形態を示す。本実施形態では、コマンダーフラッシュは、１回の撮像について、例えば１０回発光する。
【００７７】
一連の通信の、１回目の発光をＳＦＬ１、２回目をＳＦＬ２、・・１０回目をＳＦＬ１０とする。またＳＦＬ１とＳＦＬ２の発光間隔時間をＴ（ＤＴ１）、以後順次Ｔ（ＤＴ２）、Ｔ（ＤＴ３）、ＴＭ１、ＴＭ２、Ｔ（ＤＴ４）、Ｔ（ＤＴ５）、Ｔ（ＤＴ６）、ＴＭ３とする。スレーブフラッシュはＳＦＬ５に同期してプリ発光を行い、またＳＦＬ１０に同期して本発光を行う。
【００７８】
Ｔ（ＤＴ１）、Ｔ（ＤＴ２）、Ｔ（ＤＴ３）では、チャンネル、各グループごとの発光モードのデータを上記発光間隔時間に対応したデジタルデータで送信する。ＤＴ１、ＤＴ２、ＤＴ３はそれぞれ３ビットデータで構成され、それぞれのデータはパルス間隔５ｍｓのオフセットに、１ビットあたり０．５ｍｓを加えたパルス間隔時間Ｔ（ＤＴ１），Ｔ（ＤＴ２），Ｔ（ＤＴ３）で表現される。
【００７９】
一方、ＤＴ４、ＤＴ５、ＤＴ６はそれぞれ、グループＡ、Ｂ、Ｃの発光量に対応するデータである。ＤＴ４、ＤＴ５、ＤＴ６はそれぞれ、上記発光間隔時間に対応したデジタルデータとして送信される。ＤＴ４、ＤＴ５、ＤＴ６はそれぞれ５ビットデータで構成され、それぞれのデータはパルス間隔５ｍｓのオフセットに、１ビットあたり０．２５ｍｓを加えたパルス間隔時間Ｔ（ＤＴ４），Ｔ（ＤＴ５），Ｔ（ＤＴ６）で表現される。
【００８０】
このように、第１の通信フォーマットでは、データの総ビット数が２４ビットであり、また信号発光のパルス間隔は最短で５ｍｓである。詳しくは、パルス間隔時間Ｔ（ＤＴ１），Ｔ（ＤＴ２），Ｔ（ＤＴ３）は最短で５ｍｓ（データ０の場合）、最長で８．５ｍｓ（データ７の場合）である。また、パルス間隔時間Ｔ（ＤＴ４），Ｔ（ＤＴ５），Ｔ（ＤＴ６）は最短で５ｍｓ（データ０の場合）、最長で１２．７５ｍｓ（データ３１の場合）である。
【００８１】
この通信方式では３グループ独立で、多種のフラッシュモードやそれに対応した値を設定できる。また、この通信方式では、１連の通信の時間も、ＴＭ１、ＴＭ２、ＴＭ３が５ｍｓ、ＴＭ４が５０ｍｓのカメラの場合、本発光まで１００ｍｓ程度と短い。
【００８２】
但し、このＳＬＲカメラの場合は、高速発光回路の搭載が必要である。またデータも１ｂｉｔの変化が５００μｓや２５０μｓであるため、カメラのクロック回路や、制御するソフトウェアが時間を高精度に制御できる必要があり、コストが高く、大型化する。
【００８３】
図８Ａ及び図８Ｂは、本実施形態における第２の通信フォーマットによるワイヤレス通信可能なデジタルカメラの正面斜視図及び背面斜視図を示す。同図のデジタルカメラは、ワイヤレスフラッシュシステムで用いられる、コマンダーフラッシュとして機能するフラッシュ内蔵のデジタルカメラである。当該デジタルカメラは、少ないビット数のデータを低速で送信する第２の通信フォーマットを使用することができる。
【００８４】
カメラボディ５１は、例えばレンズシャッタタイプのカメラボディである。以下では、同図のカメラをＬＳカメラと称する。
レンズユニット５２は、カメラボディ５１に一体的に取り付いている。ビルトインタイプの内蔵フラッシュ５３は、ワイヤレスフラッシュシステムのコマンダーフラッシュとして機能可能である。
【００８５】
レリーズボタン５４が押下されると、一連の撮影動作が実行される。パワーボタン５５が押下されると、ＬＳカメラの電源のＯＮ、ＯＦＦを実行する。ズームボタン５６が押下されると、テレ側へ変倍される。ズームボタン５７が押下されると、ワイド側へ変倍される。背面ＬＣＤ５８は、各種設定のメニューや撮影画像を表示できる。十字ボタン５９は、各種設定の選択・確定を行うことができる。
【００８６】
図９は、本実施形態におけるＬＳカメラの内部構成を示す。レンズユニット５２の内部には、レンズ駆動制御回路５０１が設けられている。レンズ駆動制御回路５０１は、ボディ駆動制御回路５０４により制御される。
【００８７】
カメラボディ５１内には、フラッシュ制御回路５０２、クロック回路５０３、ボディ駆動制御回路５０４、画像処理回路５０６、記録媒体５０７、撮像回路５０８が設けられている。
【００８８】
フラッシュ制御回路５０２は、コマンダーフラッシュである内蔵フラッシュ５３の制御を行う。具体的には、フラッシュ制御回路５０２は、内部フラッシュ発光部５５５を発光させる。
【００８９】
このＬＳカメラは、少ないビット数を低速で送信する第２の通信フォーマットであるので、フラッシュを高速で発光させる回路が不要で、小型・安価で構成されている。
クロック回路５０３は、ボディ駆動制御回路５０４の動作クロックになる。ボディ駆動制御回路５０４は、カメラボディ５１内の各ブロックを制御し、またレンズ駆動制御回路５０１に動作を指示する。また、ボディ駆動制御回路５０４は、フラッシュ制御回路５０２にワイヤレスデータ通信のための発光指示を行う。さらに、ボディ駆動制御回路５０４は、操作部材（レリーズボタン５４、パワーボタン５５、ズームボタン５６，５７、十字ボタン５９）の操作を検出して、その操作に対応した処理を実行する。
【００９０】
撮像回路５０８は、ＣＣＤなどの撮像素子から出力される画像信号に対して、ガンマ変換、相関二重サンプリング（ＣＤＳ）処理やＡＧＣ処理、Ａ／Ｄ変換等の信号処理を行う回路である。撮像回路５０８により、デジタル画像データ（以後、画像データと呼ぶ）が得られる。
【００９１】
画像処理回路５０６は、撮像回路５０８から出力される画像データをデジタル処理し、記録媒体５０７に記録する。また画像処理回路５０６は、記録媒体５０７に記録された画像データを読み出してそれを背面ＬＣＤ５８に表示させるためのデータを生成する。
【００９２】
図１０は、本実施形態におけるワイヤレスフラッシュシステムのフラッシュ光による第２の通信フォーマットの形態を示す。本実施形態では、コマンダーフラッシュは１回の撮像について例えば６回発光する。
【００９３】
一連の通信の、1回目の発光をＳＦＬ１１、２回目をＳＦＬ１２、・・・６回目をＳＦＬ１６とする。またＳＦＬ１１とＳＦＬ１２の発光間隔時間をＴ（ＤＴ１１）、以後順次ＴＭ１１、ＴＭ１２、Ｔ（ＤＴ１２）、ＴＭ１３、本発光後の信号を受け付けない待機時間をＴＭ１４とする。スレーブフラッシュはＳＦＬ１３に同期してプリ発光を行い、またＳＦＬ１６に同期して本発光を行う。
【００９４】
Ｔ（ＤＴ１１）では、チャンネル、Ａグループの発光モード（ＴＴＬ−ＡＵＴＯかＭＡＮＵＡＬ）のデータを上記発光間隔時間に対応したデジタルデータで送信する。ＤＴ１１は３ビットデータで構成され、それぞれのデータはパルス間隔２０ｍｓのオフセットに、１ビットあたり２ｍｓを加えたパルス間隔時間で表現される。
【００９５】
一方、ＤＴ１２は、グループＡの発光量に対応するデータである。Ｔ（ＤＴ１２）では上記発光間隔時間に対応したデジタルデータで送信する。ＤＴ１２は５ビットデータで構成され、それぞれのデータはパルス間隔２０ｍｓのオフセットに、１ビットあたり１ｍｓを加えたパルス間隔時間で表現される。
【００９６】
このように、第２の通信フォーマットでは、データの総ビット数が８ビットであり、また信号発光のパルス間隔は最短で２０ｍｓである。詳しくは、Ｔ（ＤＴ１１）は最短で２０ｍｓ（データ０の場合）、最長で３４ｍｓ（データ７の場合）である。また、Ｔ（ＤＴ１２）は最短で２０ｍｓ（データ０の場合）、最長で５１ｍｓ（データ３１の場合）である。
【００９７】
この通信方式ではグループＡに設定されたフラッシュのみを制御でき、一連の通信の時間も、ＴＭ１１、ＴＭ１２、ＴＭ１３が２５ｍｓ、ＴＭ１４が５０ｍｓのカメラとすると、本発光まで２００ｍｓ程度と長くなる。
【００９８】
このＬＳカメラの場合は、高速発光回路の搭載が不要であり、またデータも１ｂｉｔの変化が１ｍｓや２ｍｓであるため、カメラのクロック回路や制御するソフトウェアにより時間を高精度に制御できなくともよく、コストが安く、小型で実現できる。
【００９９】
図１１は、本実施形態におけるコマンダーフラッシュの役割を果たすＳＬＲカメラによる、スレーブフラッシュをワイヤレス通信で制御するＲＣモードの設定フローを示す。
まず、ボディ駆動制御回路１０４は、撮影待機状態（Ｓ１）で、ＭＥＮＵボタン４−７が操作されたと判断すると（Ｓ２）、背面ＬＣＤ６の表示画面を設定動作画面（ＤＳＰ１）に移行させる（Ｓ３）。
【０１００】
次に、十字キーとＯＫボタン等により、メニュー項目の選択、設定の変更がユーザにより操作される。ボディ駆動制御回路１０４は、メニュー終了時にその設定でＲＣモードがＯＮに設定されたかどうかが判断する（Ｓ４）。ＲＣモードがＯＮされていなければＭＥＮＵを開く前の画面に戻り（Ｓ６）、ＯＮに設定された場合はＤＳＰ３の状態になる（Ｓ５）。つまり、ＲＣモードが設定されると、ＲＣモードでしか表示できない専用の表示画面に移行する。
【０１０１】
図１２Ａ−図１２Ｄは、本実施形態におけるコマンダーフラッシュの役割を果たすＳＬＲカメラのＲＣモードでの制御フローを示す。
まず、撮影者がレリーズボタン４−１を押して１ｓｔレリーズがＯＮされたことをボディ駆動制御回路１０４が検知すると（Ｓ１１）、ボディ駆動制御回路１０４はＡＦ（オートフォーカス）、ＡＥ（オート露光）動作を実行する（Ｓ１２）。
【０１０２】
次に、ボディ駆動制御回路１０４は、２ｎｄレリーズがＯＮされたか否かをモニタする（Ｓ１３）。２ｎｄレリーズがＯＮされたことを確認すると、ボディ駆動制御回路１０４は、撮影前に設定されているリモートフラッシュのチャンネル及び発光モードに基づいて、ＤＴ１、ＤＴ２、ＤＴ３の各送信データと、ＤＴ１、ＤＴ２、ＤＴ３のそれぞれに対応する時間を確定する（Ｓ１４）。
【０１０３】
次に、ボディ駆動制御回路１０４は、フラッシュ制御回路１０２を制御する。すると、フラッシュ制御回路１０２は、コマンダーフラッシュとして機能する内蔵フラッシュを用いて通信発光を開始する。まず、最初の発光ＳＦＬ１が行われる（Ｓ１５）。発光後、ボディ駆動制御回路１０４は、ＤＴ１に対応した時間が経過したかをモニタする（Ｓ１６）。
【０１０４】
ＤＴ１に対応した時間の経過を確認すると、ボディ駆動制御回路１０４は、フラッシュ制御回路１０２を駆動させて、次の通信発光であるＳＦＬ２を行う（Ｓ１７）。ボディ駆動制御回路１０４は、引き続き、ＳＦＬ２を発光してからの時間をカウントし、ＤＴ２に対応した時間が経過したかをモニタする（Ｓ１８）。
【０１０５】
ＤＴ２に対応した時間の経過を確認すると、ボディ駆動制御回路１０４は、フラッシュ制御回路１０２を駆動させて、次の通信発光であるＳＦＬ３を行う（Ｓ１９）。その後、ボディ駆動制御回路１０４は、ＤＴ３に対応した時間が経過したか否かをモニタする（Ｓ２０）。
【０１０６】
ＤＴ３に対応した時間の経過を確認すると、ボディ駆動制御回路１０４は、フラッシュ制御回路１０２を駆動させて、次の通信発光ＳＦＬ４を行う（Ｓ２１）。以上で、ＤＴ１、ＤＴ２、ＤＴ３の送信を完了する。
【０１０７】
次に、ボディ駆動制御回路１０４は、フラッシュ制御回路１０２を駆動させて、プリ発光指示のためのトリガ発光をする。ボディ駆動制御回路１０４は、各フラッシュが受信データを判断してプリ発光準備をするための時間ＴＭ１に相当する時間の経過を確認する（Ｓ２２）。
【０１０８】
ＤＴ２に対応した時間の経過を確認すると、ボディ駆動制御回路１０４は、フラッシュ制御回路１０２を駆動させて、プリ発光のためのトリガ発光ＳＦＬ５を行う（Ｓ２３）。
その後、スレーブフラッシュがプリ発光を行うので、ボディ駆動制御回路１０４は、ＴＴＬ調光回路１０５によりそのプリ発光により照射された被写界を測光する（Ｓ２４）。その測光結果をもとに、ボディ駆動制御回路１０４は、本発光で各フラッシュが発光すべき発光量、または発光量に対応する数値を確定する。ボディ駆動制御回路１０４は、その確定値にしたがって、スレーブフラッシュに送信すべきデータＤＴ４、ＤＴ５、ＤＴ６を決定する（Ｓ２５）。
【０１０９】
ＳＦＬ５発光後、ボディ駆動制御回路１０４は、各スレーブフラッシュが次のデータを受信できるように準備するための時間ＴＭ２の経過をカウントする（Ｓ２６）。
時間ＴＭ２の経過を確認すると、ボディ駆動制御回路１０４は、フラッシュ制御回路１０２を駆動させて、次の通信発光であるＳＦＬ６を行う（Ｓ２７）。この発光より、各スレーブフラッシュが発光制御を行うためのデータの送信を開始する。
【０１１０】
ボディ駆動制御回路１０４は、ＳＦＬ６発光後、ＤＴ４に対応する時間が経過したか否かをモニタする（Ｓ２８）。ＤＴ４に対応する時間の経過を確認すると、ボディ駆動制御回路１０４は、フラッシュ制御回路１０２を駆動させて、次のＳＦＬ７を発光する（Ｓ２９）。
【０１１１】
ＳＦＬ７の発光後、ボディ駆動制御回路１０４は、さらにＤＴ５に対応する時間が経過したか否かをモニタする（Ｓ３０）。ＤＴ５に対応する時間の経過を確認すると、ボディ駆動制御回路１０４は、フラッシュ制御回路１０２を駆動させて、次のＳＦＬ８を発光する（Ｓ３１）。
【０１１２】
ＳＦＬ８の発光後、ボディ駆動制御回路１０４は、さらにＤＴ６に対応する時間が経過したかをモニタする（Ｓ３２）。ＤＴ６に対応する時間が経過すると、ボディ駆動制御回路１０４は、フラッシュ制御回路１０２を駆動させて、データ送信終了を示すＳＦＬ９を発光する（Ｓ３３）。
【０１１３】
以上で各スレーブフラッシュへのデータ送信を終了したので、ボディ駆動制御回路１０４は撮影動作の制御に移行する。ボディ駆動制御回路１０４は、クイックリターンミラーのミラーアップを開始する（Ｓ３４）。
【０１１４】
ボディ駆動制御回路１０４は、ミラーアップが完了すると、フォーカルプレーンシャッターの先幕を走行開始させる（Ｓ３５）。そして、ボディ駆動制御回路１０４は、先幕走行が完了したか否かを判断する（Ｓ３６）。ボディ駆動制御回路１０４は、先幕走行が完了したと判断すると、本発光のためのトリガ発光となるＳＦＬ１０を発光する（Ｓ３７）。ＳＦＬ１０の発光に同期して、各スレーブフラッシュは本発光を実施する。
【０１１５】
ボディ駆動制御回路１０４は、フォーカルプレーンシャッターの後幕の走行が完了したか否かを確認する（Ｓ３８）。ボディ駆動制御回路１０４は、後幕の走行完了を確認すると撮影が終了したと判断する。
【０１１６】
そして、ボディ駆動制御回路１０４は、撮像回路１０８から画像データを読み出し（Ｓ３９）、画像処理回路１０６で画像データ処理を実行する（Ｓ４０）。ボディ駆動制御回路１０４は、画像データ処理された画像データを記録媒体１０７に書き込み（Ｓ４１）、一連の撮影動作は終了する（Ｓ４２）。
【０１１７】
図１３Ａ−図１３Ｅは、本実施形態における第１及び第２の通信フォーマットに基づくスレーブフラッシュの動作のフローを示す。
スレーブフラッシュ１１は、不図示のモード選択ボタンによってＲＣモード（リモート制御受付モード）に設定される（Ｓ５１）。すると、フラッシュ制御回路１５２は、スレーブセンサー１３をＯＮにして（Ｓ５２）、スレーブセンサー１３からの信号の待ち状態となる（Ｓ５３）。
【０１１８】
スレーブセンサー１３によりリモートセンサー信号が検出された場合、言い換えれば信号発光のフラッシュパルスが検出された場合、フラッシュ制御回路１５２は、ＳＦＬ１を検出したと認識し、タイマーカウンタをリセットしスタートさせる（Ｓ５４）。
【０１１９】
その後、フラッシュ制御回路１５２は、次のフラッシュパルス（このタイミングではＳＦＬ２）の検出待ち状態で待機する（Ｓ５５）。フラッシュ制御回路１５２は、フラッシュパルス（ＳＦＬ２）を検出すると、そのタイミングでのタイマーカウンタの値を読み出す（Ｓ５６）。
【０１２０】
ここで、スレーブフラッシュ１１は、コマンダーフラッシュが第１の通信フォーマットで動作しているのか、第２の通信フォーマットで動作しているのかを判別する（Ｓ５８、Ｓ５９）。この場合、ＳＦＬ１とＳＦＬ２の間隔の時間が５〜８．５ｍｓであれば第１の通信フォーマットと判断してＳ６０に進み、２０〜３４ｍｓであれば第２の通信フォーマットと判断してＳ６１に進む。それ以外の場合はエラーと判断し（Ｓ６２）、Ｓ５１に戻る。
【０１２１】
まず第１の通信フォーマットに基づくスレーブフラッシュの動作について説明する。フラッシュ制御回路１５２は、検出したＳＦＬ１とＳＦＬ２とのパルス間隔の時間より、ＤＴ１の値を、時間とデータの対応テーブルまたは対応式で算出する（Ｓ６０）。
【０１２２】
ＤＴ１の算出が終了すると、フラッシュ制御回路１５２は、スレーブフラッシュは再びフラッシュパルスが検出されるまで待機状態になる（Ｓ６０−１）。そこでフラッシュパルス（ここではＳＦＬ３）を検出すると、フラッシュ制御回路１５２は、タイマーカウンタを読み出し（Ｓ６０−２）、引き続きタイマーカウンタをリセットしてスタートする（Ｓ６０−３）。
【０１２３】
その後、フラッシュ制御回路１５２は、検出したＳＦＬ２とＳＦＬ３とのパルス間隔の時間より、ＤＴ２の値を、時間とデータの対応テーブルまたは対応式で算出する（Ｓ６０−４）。
【０１２４】
ＤＴ２の算出が終了すると、フラッシュ制御回路１５２は、再びフラッシュパルスが検出されるまで待機状態になる（Ｓ６０−５）。そこでフラッシュパルス（ここではＳＦＬ４）を検出すると、フラッシュ制御回路１５２は、タイマーカウンタを読み出し（Ｓ６０−６）、タイマーカウンタをリセットし再スタートさせる（Ｓ６０−７）。
【０１２５】
その後読み出したＳＦＬ３とＳＦＬ４とのパルス間隔の時間により、フラッシュ制御回路１５２は、ＤＴ３の値を、時間とデータの対応テーブルまたは対応式で算出する（Ｓ６０−８）。
【０１２６】
以上で、フラッシュ制御回路１５２は、コマンダーフラッシュが送信したデータのチャンネルと、各グループごとの発光モードについてのフラッシュパルスの受信を完了する。
フラッシュ制御回路１５２は、次のフラッシュパルスが検出されるまで待機状態になる（Ｓ６０−９）。ここでフラッシュパルス（ＳＦＬ５）が検出されると、フラッシュ制御回路１５２は、コマンダーフラッシュからのプリ発光のトリガ信号と認識するので、直ちにタイマーカウンタをリセット・再スタートして（Ｓ６０−１０）、プリ発光を行う（Ｓ６０−１１）。
【０１２７】
ここでのプリ発光の発光量は、所定値に予め固定されており、スレーブフラッシュはその固定されている発光量で発光する。
その後、フラッシュ制御回路１５２は、フラッシュパルスが検出されるまで待機状態になる（Ｓ６０−１２）。ここでフラッシュパルス（ＳＦＬ６）が検出されると、タイマーカウンタをリセットして再スタートする（Ｓ６０−１３）。ＳＦＬ６はＤＴ４以降のデータ送信を開始するフラッシュパルスとなる。
【０１２８】
次に、フラッシュパルス（ＳＦＬ７）を検知すると（Ｓ６０−１４）、フラッシュ制御回路１５２は、タイマーカウンタの読み出しを行い（Ｓ６０−１５）、タイマーカウンタをリセット・スタートさせる（Ｓ６０−１６）。
【０１２９】
フラッシュ制御回路１５２は、読み出したタイマーカウンタの値から、ＤＴ４のデータを算出する（Ｓ６０−１７）。ＤＴ４のデータ算出後、フラッシュ制御回路１５２は、再びフラッシュパルスが検出されるまで待機状態になる（Ｓ６０−１８）。
【０１３０】
次にフラッシュパルス（ＳＬＦ８）が検出されると、フラッシュ制御回路１５２は、タイマーカウンタの読み出しを行い（Ｓ６０−１９）、タイマーカウンタをリセット・スタートさせる（Ｓ６０−２０）。
【０１３１】
次に、フラッシュ制御回路１５２は、読み出したタイマーカウンタの値から、ＤＴ５のデータを算出する（Ｓ６０−２１）。ＤＴ５のデータ算出後、フラッシュ制御回路１５２は、フラッシュパルスが検出されるまで待機状態になる（Ｓ６０−２２）。
【０１３２】
次にフラッシュパルス（ここではＳＦＬ９）が検出されると、フラッシュ制御回路１５２は、タイマーカウンタの読み出しを行い（Ｓ６０−２３）、タイマーカウンタをリセット・再スタートさせる（Ｓ６０−２４）。そして、フラッシュ制御回路１５２は、読み出したタイマーカウンタの値からＤＴ６のデータを算出する（Ｓ６０−２５）。
【０１３３】
以上でスレーブフラッシュは、全てのデータを受信したことになる。フラッシュ制御回路１５２は、その受信データと、そのスレーブフラッシュ自身に設定されているチャンネル、グループに対応したデータを採用して発光量、または発光量に対応するデータを確定し、発光制御用のレジスタに格納する（Ｓ６０−２６）。
【０１３４】
フラッシュ制御回路１５２は、発光量を決定した後、再びフラッシュパルスが検出されるまで待機状態になる（Ｓ６０−２７）。この状態は、本発光のトリガ待ち状態である。フラッシュ制御回路１５２は、フラッシュパルス（ＳＦＬ１０）を検知すると、本発光を実施する（Ｓ６０−２８）。そして、スレーブフラッシュのＲＣモードにおけるリモート制御撮影は終了する。
【０１３５】
続いて、第２の通信フォーマットに基づくスレーブフラッシュの動作について説明する。フラッシュ制御回路１５２は、検出したＳＦＬ１１とＳＦＬ１２とのパルス間隔の時間より、ＤＴ１１の値を、時間とデータの対応テーブルまたは対応式で算出する（Ｓ６１）。
【０１３６】
ＤＴ１１の算出が終了すると、フラッシュ制御回路１５２は、再びフラッシュパルスが検出されるまで待ち状態になる（Ｓ６１−１）。ここでフラッシュパルス（ＳＦＬ１３）が検出されると、フラッシュ制御回路１５２は、コマンダーフラッシュからのプリ発光のトリガ信号と認識し、直ちにタイマーカウンタをリセット・スタートして（Ｓ６１−２）、プリ発光を行う（Ｓ６１−３）。ここでのプリ発光光量は、所定値に予め固定されており、スレーブフラッシュはその固定されている発光量で発光する。
【０１３７】
フラッシュ制御回路１５２は、その後、フラッシュパルスが検出されるまで待ち状態になる（Ｓ６１−４）。フラッシュパルス（ＳＦＬ１４）が検出されると、フラッシュ制御回路１５２は、タイマーカウンタをリセットして再スタートする（Ｓ６１−５）。ＳＦＬ１４はＤＴ１２のデータ送信を開始するフラッシュパルスとなる。
【０１３８】
フラッシュ制御回路１５２は、フラッシュパルス（ＳＦＬ１５）を検知すると（Ｓ６１−６）、タイマーカウンタの読み出しを行い（Ｓ６１−７）、タイマーカウンタをリセット・再スタートさせる（Ｓ６１−８）。
【０１３９】
フラッシュ制御回路１５２は、読み出したタイマーカウンタの値から、ＤＴ１２のデータを算出する（Ｓ６１−９）。ＤＴ１２のデータを算出後、フラッシュ制御回路１５２は、再びフラッシュパルスが検出されるまで待ち状態になる。
【０１４０】
以上でスレーブフラッシュは全てのデータを受信したことになる。フラッシュ制御回路１５２は、その受信データと、そのスレーブフラッシュ自身に設定されているチャンネル、グループ（この通信フォーマットの場合はグループＡで固定）に対応したデータを採用して発光量、または発光量に対応するデータを確定し、発光制御用のレジスタに格納する（Ｓ６１−１０）。
【０１４１】
フラッシュ制御回路１５２は、発光量を決定した後、再びフラッシュパルスが検出されるまで待機状態になる（Ｓ６１−１１）。この状態は、本発光のトリガ待ち状態であり、フラッシュ制御回路１５２は、フラッシュパルス（ＳＦＬ１６）を検知すると、本発光を実施する（Ｓ６１−１２）、スレーブフラッシュのＲＣモードにおけるリモート制御撮影は終了する。
【０１４２】
図１４は、本実施形態におけるＤＴ４，ＤＴ５，ＤＴ６のデータまたはＤＴ１２のデータと、実際の発光制御に使用する数値の対応を示す。例えばマニュアル発光が指示されている場合、実際に送信されるデータと発光量の対応関係は図１４のようになる。
【０１４３】
最大および最小の限界付近は、発光量０となっており、この数値を適用すると発光しない。一方データが２，３の場合は最大発光量１／１（フル発光）となっており、一方２７，２８は最小発光量１／２５６である。つまり、発光量０、および最大発光量、最小発光量に対応するデータ値については２ビット分の幅を持たせており、一方その中間については１ビットずつの対応になっている。なお、マニュアル発光の場合だけでなく、ＴＴＬ−ＡＵＴＯや外光オートの場合にも、最大発光量に対応するデータ及び最小発光量に対応するデータに関しては、中間値よりもデータ受信についての許容幅を広くとっている。
【０１４４】
このデータ構成は、第１の通信フォーマットと第２の通信フォーマットで同じである。但し第２の通信フォーマットはＴＴＬ−ＡＵＴＯとＭＡＮＵＡＬしかない。
次に、本実施形態におけるＬＳカメラについて説明する。第２の通信フォーマットに対応したコマンダーフラッシュ機能を備えたＬＳカメラは、グループごとの設定がないので、図６に示すような表示は行わない。通常のメニュー表示で必要な項目（チャンネル、調光モード、設定値）を設定する。
【０１４５】
図１５Ａ−図１５Ｃは、本実施形態におけるコマンダーフラッシュの役割を果たすＬＳカメラのＲＣモードでの制御フローを示す。ＬＳカメラは第２の通信フォーマットでデータをスレーブフラッシュに送信する。
【０１４６】
撮影者は、レリーズボタン５４を押して１ｓｔレリーズをＯＮする。すると、ボディ駆動制御回路５０４は、１ｓｔレリーズがＯＮされた旨を検知し（Ｓ７１）、ＡＦ，ＡＥ動作を実行する（Ｓ７２）。
【０１４７】
次に、ボディ駆動制御回路５０４は、レリーズボタン５４を押して２ｎｄレリーズがＯＮされたか否かをモニタする（Ｓ７３）。ボディ駆動制御回路５０４は、２ｎｄレリーズがＯＮされたことを確認すると、撮影前に設定されている、リモートフラッシュのチャンネル、発光モードからＤＴ１１の各送信データと、各送信データに対応する時間を確定する（Ｓ７４）。
【０１４８】
次に、ボディ駆動制御回路５０４は、コマンダーフラッシュとしての内蔵フラッシュ５３を用いて通信発光を開始する。ボディ駆動制御回路５０４は、最初の発光ＳＦＬ１１を行う（Ｓ７５）。その発光後、ボディ駆動制御回路５０４は、ＤＴ１１に対応した時間が経過したかをモニタする（Ｓ７６）。ボディ駆動制御回路５０４は、ＤＴ１１に対応した時間の経過を確認すると、次の通信発光であるＳＦＬ１２を行う（Ｓ７７）。以上で、ＤＴ１１の送信を完了する。
【０１４９】
次に、ボディ駆動制御回路５０４は、プリ発光指示のためのトリガ発光をする。すると、ボディ駆動制御回路５０４は、各スレーブフラッシュが受信したフラッシュパルスに基づいて行うプリ発光を準備するための時間ＴＭ１１に相当する時間の経過を確認する（Ｓ７８）。
【０１５０】
ＴＭ１１に相当する時間の経過後、ボディ駆動制御回路５０４は、プリ発光のためのトリガ発光ＳＦＬ１３を行う（Ｓ７９）。トリガ発光ＳＦＬ１３の実施後、スレーブフラッシュがプリ発光を行う。
【０１５１】
ボディ駆動制御回路５０４は、そのプリ発光により照射された被写界を測光する（Ｓ８０）。それから、ボディ駆動制御回路５０４は、その測光結果をもとに、本発光で各スレーブフラッシュが発光すべき発光量、またはその発光量に対応する数値を確定する。それから、ボディ駆動制御回路５０４は、その確定値に従って、スレーブフラッシュに送信すべきデータＤＴ１２を決定する（Ｓ８１）。
【０１５２】
ボディ駆動制御回路５０４は、ＳＦＬ１３発光後、各スレーブフラッシュが次のデータを受信できるように準備するための時間ＴＭ２の経過をカウントする（Ｓ８２）。時間ＴＭ２が経過したら、ボディ駆動制御回路５０４は、次の通信発光であるＳＦＬ１４を行う（Ｓ８３）。この発光より、ボディ駆動制御回路５０４は、各スレーブフラッシュの発光を制御するためのデータの送信を開始する。
【０１５３】
ボディ駆動制御回路５０４は、ＳＦＬ１４発光後、ＤＴ１２に対応する時間が経過したか否かをモニタする（Ｓ８４）。ＤＴ１２に対応する時間の経過を確認すると、ボディ駆動制御回路５０４は、次のＳＦＬ１５を発光する（Ｓ８５）。
【０１５４】
以上でボディ駆動制御回路５０４は、各スレーブフラッシュへのデータ送信を終了したので、撮影動作に入る。ボディ駆動制御回路５０４は、撮像素子の露光動作を開始し（Ｓ８６）、所定のタイミングで本発光のためのトリガ発光となるＳＦＬ１６を発光する（Ｓ８７、Ｓ８８）。発光ＳＦＬ１６に同期して、各スレーブフラッシュは本発光を実施する。
【０１５５】
ボディ駆動制御回路５０４は、露光動作が完了しているか否かを確認する（Ｓ８９）。露光動作が完了している場合、ボディ駆動制御回路５０４は、撮影が終了したと判断する。すると、ボディ駆動制御回路５０４は、撮像回路５０８から画像データを読み出し（Ｓ９０）、画像処理回路５０６で画像データ処理を実行する（Ｓ９１）。画像処理回路５０６からの出力データは、記録媒体５０７に書き込まれ（Ｓ９２）、一連の撮影動作は終了する。
【０１５６】
本実施形態によれば、第１の通信フォーマット対応カメラは短時間で３グループの独立制御のためのデータ送信ができ、高度の写真撮影にも対応できる。他方、第２の通信フォーマット対応カメラは、少ないデータ量を、長い発光間隔で送信するため、高速発光回路をもたないカメラ、または通信の時間管理の精度がラフな低コストの部品を用いたカメラであっても実現できる。
【０１５７】
本実施形態のスレーブフラッシュは、第１および第２の通信フォーマットのいずれにも対応可能であるため、カメラ側で通信フォーマットを考慮する必要がなく、したがってユーザのコスト負担を軽減することができる。また、一度のセッティングで、様々なカメラを用いてもそのままワイヤレスフラッシュ撮影ができる。
【０１５８】
また、本実施形態のフラッシュは通信の先頭部分の信号により、第１の通信フォーマットか第２の通信フォーマットかを判別するため、ユーザがフラッシュの通信モードを切り替える必要がなく、ユーザの手を煩わせない。
【０１５９】
また、第１の通信フォーマットのデータ部分の時間の取りうる範囲と第２の通信フォーマットのデータ部分の取りうる範囲とがラップせず完全に異なる帯域であるため、スレーブフラッシュで容易に判別できる。
【０１６０】
また、第２の通信フォーマットでは通信発光回数が第１の通信フォーマットよりも少なくなっているので、小型でバッテリーの容量が少ないカメラであってもワイヤレス通信が可能となる。
【０１６１】
また、第２の通信フォーマットでは設定できる発光モードが少なく、また制御できるグループも１グループであるので、小型でエントリーユーザーが使用するタイプのカメラであっても設定項目が少なく、操作がしやすい。
【０１６２】
＜第２の実施形態＞
第１の実施形態では、いずれの通信フォーマットにも対応可能なスレーブフラッシュを用いたが、本実施形態では、いずれの通信フォーマットにもデータ送信対応可能なカメラまたはコマンダーフラッシュについて説明する。
【０１６３】
本実施形態のＳＬＲカメラでは、第１の通信フォーマットと第２の通信フォーマットを選択することができる。本実施形態では、ＳＬＲカメラの背面ＬＣＤに表示されるメニュー内の設定によって、第１の通信フォーマットと第２の通信フォーマットを切り替えることができる。
【０１６４】
図１６は、本実施形態における第１の通信フォーマットを選択した場合の撮影条件表示画面を示す。図１７は、本実施形態における第２の通信フォーマットを選択した場合の撮影条件表示画面を示す。図１８は、図１６及び図１７についての撮影条件表示画面とＲＣモードＯＮ／ＯＦＦの対応表を示す。
【０１６５】
第１の通信フォーマットを選択した場合は、背面ＬＣＤの表示は図１６に示したようになる。図１６に示すように、ＤＳＰ１、ＤＳＰ２、ＤＳＰ３がＩＮＦＯボタン４−６で切り替わる。メニューにはＲＣモードＯＮ／ＯＦＦの設定はなく、図１８に示すようにＤＳＰ３を表示させると自動的にＲＣモードになる。
【０１６６】
次に、第２の通信フォーマットを選択している場合は図１７に示す表示になる。図１６に示すように、ＤＳＰ１、ＤＳＰ２、ＤＳＰ３がＩＮＦＯボタン４−６で切り替わる。メニューにはＲＣモードＯＮ／ＯＦＦの設定はなく、図１８に示すようにＤＳＰ３を表示させると自動的にＲＣモードになる。
【０１６７】
また、ＲＣモード（ＤＳＰ３）において、グループはＡだけの表示・設定となり、またここでのモード選択もＴＴＬ−ＡＵＴＯとＭＡＮＵＡＬのみになる。また閃光発光とＦＰ発光の切り替えはない。
【０１６８】
カメラの通信発光制御は、第１の通信フォーマットの場合は第１の実施形態のＳＬＲカメラの動作と同様であり、また第２の通信フォーマットで動作する場合は第１の実施形態のＬＳカメラの動作とほぼ同様である。
【０１６９】
本実施形態によれば、第１の通信フォーマットで通信可能なカメラであっても、１グループの制御で十分であり、カメラ本体の電池を節約したい場合や、エントリーユーザーでなるべく設定を簡単にしたい場合などに有用である。このため、１台のカメラでハイレベルのユーザにも、エントリーユーザーにも適応できる。
【０１７０】
また、本実施形態によれば、背面ＬＣＤへの情報表示形態によってＲＣのモードが切り替えられるため、ＲＣモードのＯＮ／ＯＦＦを頻繁に切り替えるユーザにとっては便利である。
【０１７１】
＜第３の実施形態＞
本実施形態では、スレーブフラッシュが第１及び第２の通信フォーマットのうちのいずれかまたは双方に適応している場合であって、カメラ側でいずれの通信フォーマットでワイヤレス通信制御を行うのが妥当かを判断するワイヤレスフラッシュシステムについて説明する。
【０１７２】
図１９は、本実施形態におけるワイヤレスフラッシュシステムの概念図を示す。同図に示すように、当該ワイヤレスフラッシュシステムは、スレーブフラッシュＦＬ１，ＦＬ２、及びＳＬＲタイプのフラッシュ内蔵カメラＣ１から構成されている。カメラＣ１の内部構成は、図４と同様である。
【０１７３】
ＦＬ２は、第１の実施形態で説明した第１の通信フォーマット（ＦＭＴ１）及び第２の通信フォーマット（ＦＭＴ２）に対応したスレーブフラッシュであり、第１の実施形態で説明したスレーブフラッシュと同様の構成である。
【０１７４】
一方、ＦＬ１については、第２の通信フォーマット（ＦＭＴ２）のみに対応したスレーブフラッシュである。したがって、第１の通信フォーマットで送信が行われてもＦＬ２は作動するが、ＦＬ１は作動しない。
【０１７５】
図２０は、本実施形態におけるコマンダーフラッシュ機能を備えたカメラＣ１の動作フローを示す。電源をＯＮして初回のレリーズ操作を行うと（Ｓ１０１）、カメラＣ１のボディ駆動制御回路は、フラッシュの通信方式判別動作に入る。
【０１７６】
まず、ボディ駆動制御回路１０４は、第１の通信フォーマットで、所定の発光量、例えばマニュアル発光、発光量１／１６にてフラッシュ制御回路１０２に発光を指示する（Ｓ１０２）。この発光のタイミングにて、ボディ駆動制御回路はＴＴＬ調光回路１０５を駆動させて、ＴＴＬ調光回路１０５にフラッシュ光を測光させる（Ｓ１０３）。この測光を、測光１とする。
【０１７７】
次に、ボディ駆動制御回路１０４は、第２の通信フォーマットで、所定の発光量、たとえばマニュアル発光、発光量１／１６にてフラッシュ制御回路１０２に発光を指示する（Ｓ１０４）。この発光のタイミングにて、ボディ駆動制御回路１０４はＴＴＬ調光回路１０５を駆動させて、ＴＴＬ調光回路１０５にフラッシュ光を測光する（Ｓ１０５）。この測光を、測光２とする。
【０１７８】
次に、ボディ駆動制御回路１０４は、測光１と測光２を比較する（Ｓ１０６，Ｓ１０７）。測光１の値の方が測光２の値よりも大きい場合は、カメラＣ１の電源がＯＦＦされるまでは、ボディ駆動制御回路１０４は、第１の通信フォーマットで通信を行う（Ｓ１０８）。これは、撮影する被写界に影響するフラッシュが、第１の通信フォーマットのみに対応しているか、または複数あった場合でも第１の通信フォーマットに対応しているものの影響が大きいことになるためである。
【０１７９】
測光１と測光２の値が同じ場合は、カメラの電源がＯＦＦされるまでは、ボディ駆動制御回路１０４は、第１の通信フォーマットで通信を行う（Ｓ１０８）。これはスレーブフラッシュが両方の通信フォーマットに対応しているか、または第１の通信フォーマットで作動できるフラッシュと第２の通信フォーマットで作動できるフラッシュの影響度合いが同等と考えられるため、より機能性が高く短時間で通信可能な第１の通信フォーマットを優先する。
【０１８０】
測光２の方が測光１の値よりも大きい場合は、カメラの電源がＯＦＦされるまでは、ボディ駆動制御回路１０４は、第２の通信フォーマットで通信を行う（Ｓ１０９）。この場合は第１の通信フォーマットに対応していないフラッシュが存在し、第２の通信フォーマットの方が光量が大きくとれるためである。
【０１８１】
本実施形態のように、２台のスレーブフラッシュのうち１台が第２の通信フォーマットにしか対応していない場合、カメラの判定動作では測光２の方が測光１よりも大となり、カメラは自動的に第２の通信フォーマットで動作することになる。これによりフラッシュの通信方式が混在するものであっても、より照射効果が大きくなる通信フォーマットが自動選択される。
【０１８２】
上記各実施形態について、コマンダーフラッシュはカメラに内蔵でなく、カメラとコマンダー装置を結合させたものでもよい。その場合、設定の表示・設定の変更機能はカメラ側で実行できてもよいし、カメラに結合されたコマンダー装置でもよい。
【０１８３】
また送信手段は、キセノン管の閃光発光を利用したフラッシュ装置以外の、ＬＥＤなどほかの発光手段を用いてもよい。また、通信媒体は光以外の、電波や超音波などほかの物でもよく、またそれらの複合で構成されていてもよい。
【０１８４】
本発明を用いることにより、通信フォーマット毎にフラッシュを買い換える必要がなく、さらにユーザによる切り替え設定も必要がない。
なお、本発明は、以上に述べた実施の形態に限定されるものではなく、本発明の要旨を逸脱しない範囲内で種々の構成または実施形態を取ることができる。
【図面の簡単な説明】
【０１８５】
【図１Ａ】第１の実施形態における第１の通信フォーマットによるワイヤレス通信可能なデジタルカメラの正面斜視図を示す。
【図１Ｂ】第１の実施形態における第１の通信フォーマットによるワイヤレス通信可能なデジタルカメラの背面斜視図を示す。
【図２】第１の実施形態におけるスレーブフラッシュを示す。
【図３】第１の実施形態におけるワイヤレスフラッシュシステムを使用する際の状況を示す図である。
【図４】第１の実施形態におけるＳＬＲカメラの内部構成を示す。
【図５】第１の実施形態におけるスレーブフラッシュの内部構成を示す。
【図６】第１の実施形態における背面ＬＣＤ６の撮影条件表示画面を示す。
【図７】第１の実施形態におけるワイヤレスフラッシュシステムのフラッシュ光による第１の通信フォーマットの形態を示す。
【図８Ａ】第１の実施形態における第２の通信フォーマットによるワイヤレス通信可能なデジタルカメラの正面斜視図を示す。
【図８Ｂ】第１の実施形態における第２の通信フォーマットによるワイヤレス通信可能なデジタルカメラの背面斜視図を示す。
【図９】第１の実施形態におけるＬＳカメラの内部構成を示す図である。
【図１０】第１の実施形態におけるワイヤレスフラッシュシステムのフラッシュ光による第２の通信フォーマットの形態を示す図である。
【図１１】第１の実施形態におけるコマンダーフラッシュの役割を果たすＳＬＲカメラによる、スレーブフラッシュをワイヤレス通信で制御するＲＣモードの設定フローを示す。
【図１２Ａ】第１の実施形態におけるコマンダーフラッシュの役割を果たすＳＬＲカメラのＲＣモードでの制御フロー（その１）を示す。
【図１２Ｂ】第１の実施形態におけるコマンダーフラッシュの役割を果たすＳＬＲカメラのＲＣモードでの制御フロー（その２）を示す。
【図１２Ｃ】第１の実施形態におけるコマンダーフラッシュの役割を果たすＳＬＲカメラのＲＣモードでの制御フロー（その３）を示す。
【図１２Ｄ】第１の実施形態におけるコマンダーフラッシュの役割を果たすＳＬＲカメラのＲＣモードでの制御フロー（その４）を示す。
【図１３Ａ】第１の実施形態における第１及び第２の通信フォーマットに基づくスレーブフラッシュの動作のフロー（その１）を示す。
【図１３Ｂ】第１の実施形態における第１及び第２の通信フォーマットに基づくスレーブフラッシュの動作のフロー（その２）を示す。
【図１３Ｃ】第１の実施形態における第１及び第２の通信フォーマットに基づくスレーブフラッシュの動作のフロー（その３）を示す。
【図１３Ｄ】第１の実施形態における第１及び第２の通信フォーマットに基づくスレーブフラッシュの動作のフロー（その４）を示す。
【図１３Ｅ】第１の実施形態における第１及び第２の通信フォーマットに基づくスレーブフラッシュの動作のフロー（その５）を示す。
【図１４】第１の実施形態におけるＤＴ４，ＤＴ５，ＤＴ６またはＤＴ１２のデータと、実際の発光制御に使用する数値の対応を示す。
【図１５Ａ】第１の実施形態におけるコマンダーフラッシュの役割を果たすＬＳカメラのＲＣモードでの制御フロー（その１）を示す。
【図１５Ｂ】第１の実施形態におけるコマンダーフラッシュの役割を果たすＬＳカメラのＲＣモードでの制御フロー（その２）を示す。
【図１５Ｃ】第１の実施形態におけるコマンダーフラッシュの役割を果たすＬＳカメラのＲＣモードでの制御フロー（その３）を示す。
【図１６】第２の施形態における第１の通信フォーマットを選択した場合の撮影条件表示画面を示す。
【図１７】第２の実施形態における第２の通信フォーマットを選択した場合の撮影条件表示画面を示す。
【図１８】図１６及び図１７についての撮影条件表示画面とＲＣモードＯＮ／ＯＦＦの対応表を示す。
【図１９】第３の実施形態におけるワイヤレスフラッシュシステムの概念図を示す。
【図２０】第３の実施形態におけるコマンダーフラッシュ機能を備えたカメラＣ１の動作フローを示す。
【符号の説明】
【０１８６】
１      カメラボディ
２      レンズユニット
３      内蔵フラッシュ
４      操作部材
４−１  レリーズボタン
４−２  電子ダイヤル
４−３  十字ボタン
４−４  ＩＳＯボタン
４−５  露出補正ボタン
４−６  ＩＮＦＯボタン
４−７  メニューボタン
４−８  パワーボタン
５      ファインダーユニット
５−１  アイピース
６      背面ＬＣＤ
１１    スレーブフラッシュ本体
１２    フラッシュスタンド
１３    スレーブセンサー
１４    外光調光センサー
１５    発光窓
１６    発光ユニット
１７    ロック解除ボタン
１８    ホットシュー
１９    ホットシュー受け部
２０    モードスイッチ
５１    カメラボディ
５２    レンズユニット
５３    内蔵フラッシュ
５４    レリーズボタン
５５    パワーボタン
５６，５７  ズームボタン
５８    背面ＬＣＤ
５９    十字ボタン
１０１  レンズ駆動制御回路
１０２  フラッシュ制御回路
１０３  クロック回路
１０４  ボディ駆動制御回路
１０５  ＴＴＬ調光回路
１０６  画像処理回路
１０７  記録媒体
１０８  撮像回路
１５１  発光回路
１５２  フラッシュ制御回路
１５３  クロック回路
１５４  データ検出回路
１５５  外部フラッシュ発光部
１６０  背面ＬＣＤ
５０１  レンズ駆動制御回路
５０２  フラッシュ制御回路
５０３  クロック回路
５０４  ボディ駆動制御回路
５０６  画像処理回路
５０７  記録媒体
５０８  撮像回路
【図１Ａ】
2009058545.tif 000003
【図１Ｂ】
2009058545.tif 000004
【図２】
2009058545.tif 000005
【図３】
2009058545.tif 000006
【図４】
2009058545.tif 000007
【図５】
2009058545.tif 000008
【図８Ａ】
2009058545.tif 000009
【図８Ｂ】
2009058545.tif 000010
【図９】
2009058545.tif 000011
【図１１】
2009058545.tif 000012
【図１２Ａ】
2009058545.tif 000013
【図１２Ｂ】
2009058545.tif 000014
【図１２Ｃ】
2009058545.tif 000015
【図１２Ｄ】
2009058545.tif 000016
【図１３Ａ】
2009058545.tif 000017
【図１３Ｂ】
2009058545.tif 000018
【図１３Ｃ】
2009058545.tif 000019
【図１３Ｄ】
2009058545.tif 000020
【図１３Ｅ】
2009058545.tif 000021
【図１４】
2009058545.tif 000022
【図１５Ａ】
2009058545.tif 000023
【図１５Ｂ】
2009058545.tif 000024
【図１５Ｃ】
2009058545.tif 000025
【図１８】
2009058545.tif 000026
【図１９】
2009058545.tif 000027
【図２０】
2009058545.tif 000028
【図６】
2009058545.tif 000029
【図７】
2009058545.tif 000030
【図１０】
2009058545.tif 000031
【図１６】
2009058545.tif 000032
【図１７】
2009058545.tif 000033